(57)【特許請求の範囲】
【請求項１】
電子的な被写体画像を出力する撮像手段と、
前記被写体画像を表示する表示手段と、
前記被写体画像の全範囲についての輝度分布である全体輝度分布図を作成する全体図作成手段と、
前記被写体画像の一部の範囲についての輝度分布である部分輝度分布図を作成する部分図作成手段と、
前記全体輝度分布図及び前記部分輝度分布図を前記表示手段に同時に表示させるよう制御する制御手段と、
を有し、
前記制御手段は、該部分輝度分布図を前記全体輝度分布図の対応位置に重複させ、更に、前記部分輝度分布図の内部または近傍であって、前記部分輝度分布図の作成対象である被写体画像の一部の範囲における平均輝度値に相当する位置に、所定の表示をさせる、
ことを特徴とする撮像装置。
【請求項２】
前記部分図作成手段は、前記表示手段に表示された前記被写体画像に指定される露出条件決定用の測光範囲に基づいて部分輝度分布図を作成する、ことを特徴とする請求項１記載の撮像装置。
【請求項３】
前記測光範囲を変更する変更手段をさらに有し、
前記部分図作成手段は、前記変更後の測光範囲に応じて部分輝度分布図を作成する、ことを特徴とする請求項２記載の撮像装置。
【請求項４】
前記部分図作成手段は、合焦検出用の合焦範囲に基づいて部分輝度分布図を作成する、ことを特徴とする請求項１記載の撮像装置。
【請求項５】
前記部分輝度分布図の作成範囲である前記一部の範囲を設定する一部範囲設定手段をさらに有する、ことを特徴とする請求項１記載の撮像装置。
【請求項６】
前記制御手段は、
輝度分布図の一方の軸である輝度値の軸に関しては、全体輝度分布図と部分輝度分布図を同一スケールで表示させ、
他方の軸である発生頻度数の軸に関しては、全体輝度分布図よりも部分輝度分布図のスケールを拡大して表示させる、
ことを特徴とする請求項１乃至５の何れか一つに記載の撮像装置。
【請求項７】
電子的な被写体画像を出力する撮像手段と、
前記被写体画像を表示する表示手段と、
前記被写体画像の全範囲についての輝度分布である全体輝度分布図を作成する全体図作成手段と、
前記被写体画像の一部の範囲についての輝度分布である部分輝度分布図を作成する部分図作成手段と、
前記全体輝度分布図及び前記部分輝度分布図を前記表示手段に同時に表示させるよう制御する制御手段と、
を有し、
前記部分図作成手段は、前記被写体画像の一部の範囲として、前記被写体画像の全範囲から複数に分割された範囲毎に、前記部分輝度分布図を作成し、
前記制御手段は、前記複数の部分輝度分布図を相互に識別可能にして、前記全体輝度分布図の対応位置に重複させて前記表示手段に表示させる、
ことを特徴とする撮像装置。
【請求項８】
電子的に撮像された被写体画像の全範囲についての輝度分布である全体輝度分布図及び前記被写体画像の一部の範囲についての輝度分布である部分輝度分布図を作成し、
該部分輝度分布図を前記全体輝度分布図の対応位置に重複させて該２つの輝度分布図を表示部に表示させ、
前記部分輝度分布図の内部または近傍であって、前記部分輝度分布図の作成対象である被写体画像の一部の範囲における平均輝度値に相当する位置に、所定の表示をさせる、
ことを特徴とする輝度分布図表示方法。
【請求項９】
電子的に撮像された被写体画像の全範囲についての輝度分布である全体輝度分布図を作成する全体図作成ステップと、
前記被写体画像の一部の範囲についての輝度分布である部分輝度分布図を作成する部分図作成ステップと、
前記部分輝度分布図を前記全体輝度分布図の対応位置に重複させて該２つの輝度分布図を表示部に表示させる制御ステップと、
前記部分輝度分布図の内部または近傍であって、前記部分輝度分布図の作成対象である被写体画像の一部の範囲における平均輝度値に相当する位置に、所定の表示をさせるステップと、
をコンピュータに実行させる制御プログラム。
【発明の詳細な説明】
【０００１】
【発明の属する技術分野】
本発明は、被写体画像を電子的に取り込み、表示画面で被写体画像の情報を確認する撮像装置、輝度分布図表示方法、及び制御プログラムに関する。
【０００２】
【従来の技術】
被写体の画像を電気的に取り込み、取り込んだ画像をデジタルデータとして例えばコンパクトフラッシュ（登録商標）やスマートメディア（登録商標）などの記録媒体に記録する撮像装置の一つとして従来からデジタルカメラが知られている。デジタルカメラは、ＣＣＤ等の撮像素子により被写体の画像を電気的に取り込んで、その画像に変換処理を施してデジタルデータにし、そのデジタル化された画像を液晶などの表示部に表示するよう制御されるもので、この制御は撮影の際のシャッター操作時だけでなく撮影モードが撮影待機状態である場合においても行なわれており、この撮影待機状態にあっては、被写体画像を逐次取り込み、これを間引いた画像をスルー画像として表示部に表示させている。さて、このようなデジタルカメラを用いて被写体を撮影する場合においても、銀塩カメラのように、画角を決め、フォーカシングをし、絞りやシャッタースピードの調節による露出条件決定などの、各種設定を行なうことは必要である。銀塩カメラにおける画角の決定は、ファインダを除いて被写体がファインダ内に収まるように銀塩カメラの向きを変えて決定する。しかし、実際に撮影された画像はファインダから見える範囲よりも広い範囲の画像であることが通常であり、また小さな覗き窓を持つファインダを覗き込んで画角を正確に決定することに対して不慣れな撮影者もいる。それに対して、デジタルカメラでは大きな表示画面を持った表示部を利用でき、この表示画面に表示された被写体画像の画角が実際の撮影によって取り込まれる被写体画像の画角となるので、どんな撮影者でも容易に被写体の画角を決定することができるようになる。
【０００３】
また、この表示画面を利用した露出条件決定に際しては、通常はデジタルカメラの測光部により画角内の特定範囲の測光が行なわれ、その測光結果に基づいて絞りやシャッタースピードの調節が行なわれる。撮影時を例にとると、撮影前にＣＣＤから取り込んだ特定範囲の撮影信号に基づいて被写体の輝度値が算出されてこの値を測光値として設定する処理を測光部で行なう。さらに、測光値や絞りやシャッタースピードなどの関係を示したプログラム線図を基に、測光部で測光された特定範囲の測光値に対する絞りやシャッタースピードの条件が算出され、その条件になるようにデジタルカメラの絞りやシャッタースピードが自動で調節される。上記特定範囲は変更も可能であり、特定範囲を狭くしてポイント的に測光させるスポット測光も行なわれる。このような機能を有することで、撮影時に常に被写体画像の適正露出が得られるようにデジタルカメラは調節されている。
【０００４】
しかし一方で、予想外の撮影環境のため適正露出が得られなかったり、撮影者全ての好みに応じた適正露出を得ることは困難であったりするため、デジタルカメラには撮影者が露出条件を調節できる機能も有しているのが一般的である。そして、その露出条件の調節の目安として、公開特許公報（特開２００１−２４５２０４公報）に記載されているように、表示画面内に表示された被写体画像に対して、その被写体画像の輝度情報を露出条件の調節値に応じて色分けした輝度分布図を、重ね合わせて表示させるものも公知の技術である。すなわち、この公開特許公報には、表示画面内に表示された被写体画像の各画素の輝度値を算出して、その算出された輝度値毎に画素数の統計（カウント数）をとり、その統計結果である輝度分布図を表示画面の被写体画像に重ねて表示し、さらに、この輝度分布図を輝度値別に色分けして表示したり、撮影者による露出条件の調節が限界に達している時にこの輝度分布図を色づけしたりするなどの、輝度分布図の表示例が示されている。この輝度分布図を利用すれば、被写体画像が全体的に明るすぎたり暗すぎたりした場合であっても一見して適切な露出条件に調節することが可能である。
【０００５】
【発明が解決しようとする課題】
ところで、デジタルカメラで撮影される被写体画像には、銀塩カメラよりも撮影画像のラチチュード（ダイナミックレンジとも言われる）が狭いため、特定範囲の測光結果に基づく露出条件で撮影を行なうとそれ以外の範囲で白とびや黒つぶれが生じる恐れが撮影環境によっては生じる。デジタルカメラは、通常、被写体の中央を中心に測光するようデフォルト設定されていて、その範囲が適正露出になるように露出条件が設定される。従って、例えば逆光下での撮影シーンにおいては、中央のみが暗く周囲が明るいため、被写体の中央で測光されると輝度分布図は全体的に輝度値の高位置よりに偏った表現となり、一見すると露出オーバーのような状態に見えてしまう。このように自動露出機能（ＡＥ）などの測光範囲の位置付けと輝度分布図に反映される輝度分布の位置付けとが異なるので、ＡＥによって算出された適正露出と輝度分布図から受ける印象とにずれが発生するという問題が従来の輝度分布図にはあった。また、被写体画像の中のより鮮明に写したい部分は中央のみとは限られず他の部分に及ぶものもあり、その部分の輝度値を輝度分布図から確認しようとしても従来の輝度分布図では不可能である。
【０００６】
そこで本発明は、被写体画像全体と被写体画像の所定範囲との輝度分布の関係を明確にし、露出条件の調整の援助をより確実に行なうことのできる撮像装置、輝度分布図表示方法、及び制御プログラムを提供することを目的とする。
【０００７】
【課題を解決するための手段】
本発明は上記課題を解決するために以下のように構成する。
すなわち本発明の態様の一つは、電子的な被写体画像を出力する撮像手段と、前記被写体画像を表示する表示手段と、前記被写体画像の全範囲についての輝度分布である全体輝度分布図を作成する全体図作成手段と、前記被写体画像の一部の範囲についての輝度分布である部分輝度分布図を作成する部分図作成手段と、前記全体輝度分布図及び前記部分輝度分布図を前記表示手段に同時に表示させるよう制御する制御手段と、を有し、前記制御手段は、該部分輝度分布図を前記全体輝度分布図の対応位置に重複させ、更に、前記部分輝度分布図の内部または近傍であって、前記部分輝度分布図の作成対象である被写体画像の一部の範囲における平均輝度値に相当する位置に、所定の表示をさせる、ように構成する。
【０００８】
このように構成することによって、全体輝度分布図及び部分輝度分布図の両方が表示手段に表示されるので、前記２つの輝度分布の関係が明確になる。
また、このように構成することによって、前記２つの輝度分布図の対応関係を少ないスペースで効率よく表すことができるようになる。
また、このように構成することによって、分散した部分輝度分布図であっても平均輝度値が容易に判別できるようになる。
【０００９】
なお、前記部分図作成手段は、前記表示手段に表示された前記被写体画像に指定される露出条件決定用の測光範囲に基づいて部分輝度分布図を作成する、ように構成してもよい。
【００１０】
このように構成することによって、測光される範囲の輝度分布が部分輝度分布図の対象となる。
また、前記測光範囲を変更する変更手段をさらに有し、前記部分図作成手段は、前記変更後の測光範囲に応じて部分輝度分布図を作成する、ように構成してもよい。
【００１１】
このように構成することによって、測光範囲の変更に合わせて、変更された測光範囲の輝度分布が部分輝度分布図の対象となる。
また、前記部分図作成手段は、合焦検出用の合焦範囲に基づいて部分輝度分布図を作成するように構成してもよい。
【００１２】
このように構成することによって、合焦範囲の輝度分布が部分輝度分布図の対象となる。
また、前記部分輝度分布図の作成範囲である前記一部の範囲を設定する一部範囲設定手段をさらに有するように構成してもよい。
【００１３】
このように構成することによって、前記一部の範囲の設定をそれ専用の一部範囲設定手段で行なうことができるようになる。
また、前記制御手段は、輝度分布図（全体輝度分布図及び部分輝度分布図）の一方の軸である輝度値の軸に関しては、全体輝度分布図と部分輝度分布図を同一スケールで表示させ、他方の軸である発生頻度数の軸に関しては、全体輝度分布図よりも部分輝度分布図のスケールを拡大して表示させる、ように構成してもよい。
このように構成することによって、部分輝度分布図が全体輝度分布図に対して埋もれることなく明確に判別できるようになる。
また、本発明の他の態様のひとつは、電子的な被写体画像を出力する撮像手段と、前記被写体画像を表示する表示手段と、前記被写体画像の全範囲についての輝度分布である全体輝度分布図を作成する全体図作成手段と、前記被写体画像の一部の範囲についての輝度分布である部分輝度分布図を作成する部分図作成手段と、前記全体輝度分布図及び前記部分輝度分布図を前記表示手段に同時に表示させるよう制御する制御手段と、を有し、前記部分図作成手段は、前記被写体画像の一部の範囲として、前記被写体画像の全範囲から複数に分割された範囲毎に、前記部分輝度分布図を作成し、前記制御手段は、前記複数の部分輝度分布図を相互に識別可能にして、前記全体輝度分布図の対応位置に重複させて前記表示手段に表示させる、ように構成する。
【００１４】
このように構成することによって、全体輝度分布図に対する複数の部分輝度分布図の対応関係が明確になる。
【００１６】
また、本発明の他の態様の一つは、電子的に撮像された被写体画像の全範囲についての輝度分布である全体輝度分布図及び前記被写体画像の一部の範囲についての輝度分布である部分輝度分布図を作成し、該部分輝度分布図を前記全体輝度分布図の対応位置に重複させて該２つの輝度分布図を表示部に表示させ、前記部分輝度分布図の内部または近傍であって、前記部分輝度分布図の作成対象である被写体画像の一部の範囲における平均輝度値に相当する位置に、所定の表示をさせる、方法をとる。
【００１７】
このような方法をとれば、全体輝度分布図及び部分輝度分布図の両方を表示部に重複させて表示させるので、前記２つの輝度分布の関係が明確になる。
また、本発明の他の態様の一つには、電子的に撮像された被写体画像の全範囲についての輝度分布である全体輝度分布図を作成する全体図作成ステップと、前記被写体画像の一部の範囲についての輝度分布である部分輝度分布図を作成する部分図作成ステップと、前記部分輝度分布図を前記全体輝度分布図の対応位置に重複させて該２つの輝度分布図を表示部に表示させる制御ステップと、前記部分輝度分布図の内部または近傍であって、前記部分輝度分布図の作成対象である被写体画像の一部の範囲における平均輝度値に相当する位置に、所定の表示をさせるステップと、をコンピュータに実行させる制御プログラムがある。
【００１８】
この制御プログラムであれば、全体輝度分布図及び部分輝度分布図の両方を表示部に表示させるので、前記２つの輝度分布の関係が明確になる。
【００１９】
【発明の実施の形態】
以下、本発明の実施の形態の一例となるデジタルカメラについて、図面を参照しながら詳細に説明する。
図１は、当該デジタルカメラのブロック構成の一例を示した図である。図中の１００は光学レンズで構成されるＬｅｎｓである。この光軸上にはＣＣＤ１０２が構成され、ＣＣＤ１０２の露光時間は露光時間設定部１０４の設定に基づいて調節される。Ｌｅｎｓ１００を通して入力される被写体画像がＣＣＤ１０２で電気信号に変換されると、その被写体画像はＣＤＳ／ＡＤＣ部１０６によってゲイン調整やノイズ除去処理が施され、デジタル画像データに変換される。デジタル画像データはＡＥ／ＡＦ部１０８に出力され、ＡＥ／ＡＦ部１０８ではデジタル画像データに基づいて、露出設定や合焦検出が行なわれる。露出（ＡＥ）は、デジタル画像データから測光領域内のデータが抽出され、抽出された画像データの輝度に基づいて被写体輝度が測光され、測光値に応じて露出が設定される。合焦（ＡＦ）は、デジタル画像データから合焦領域内の輝度データが抽出され、輝度データのコントラストが最大になるような位置を検出する。ＣＤＳ／ＡＤＣ部１０６から出力されるデジタル画像データは色信号処理、リサイズ処理、γ変換処理等を画像処理回路１１０において施され、その結果として出力される表示用画像データは、表示メモリ１１２に蓄えられて、表示部１１４、例えばＬＣＤモニタなどの表示部、に表示される。１１６は、ＣＰＵ（中央演算処理装置）であり、上述したＡＥ／ＡＦ部１０８により設定された露出に従って露出時間設定部１０４を制御したり、表示部１１４の制御をしたり、画像処理回路１１０で生成された表示用画像データの各画素の輝度データを基に輝度分布図を作成し又必要に応じて平均輝度値を算出するヒストグラム処理部１１８を制御したりする。このＣＰＵ１１６は、操作部１２０から露出補正操作があると、露光時間設定部１０４にＡＥ／ＡＦ部１０８により設定された露光時間を補正して設定させる。また、ＣＰＵ１１６は、表示部１１４に輝度分布図を表示するよう操作部１２０から操作指示を受けると、ヒストグラム処理部１１８に対して輝度分布図を例えばデフォルトで設定された領域や表示部１１４内で指定した領域を他の領域と色分けするなどして処理させ、表示部１１４に表示される表示用画像データと例えば重ねて表示させるなどの設定された処理を施し、操作部１２０から十字ボタン等の操作があると、例えば表示部１１４に所定情報を表示させたり、表示部１１４に表示されるターゲットマークや各種のカーソルを移動させるなどの処理を行なう。ＣＰＵ１１６は、上記処理内容を実現するための制御プログラムを有し、制御プログラムを読み込んで実行することで、上記処理を行なう。
【００２０】
図２は、上記ブロック構成をとるデジタルカメラの撮影待機状態時における動作フローの一例である。
デジタルカメラの表示部１１４に被写体のスルー画像が表示されている撮影待機状態において（Ｓ２００）、ＡＥ／ＡＦ部１０８によって設定された露出、及び、露出補正操作があった場合にはその補正された露出に応じて、露光時間設定部１０４で設定された露光時間に従って、ＣＣＤ１０２で露光が行なわれる（Ｓ２０２）。露光完了後に、ＣＣＤ１０２から画像信号が間引いて読み出される（Ｓ２０４）。間引き読み出しするのは、ＣＣＤ１０２の全画像の信号を読み出すのに比べて読み出しが短時間でなされるので動きのなめらかなスルー画像が表示できることや、表示部１１４の表示可能画素数がＣＣＤ１０２の全画素数に比べて少ないので間引いた画像でも、表示画質に影響がないからである。間引き読み出しされた画像信号は、ＣＤＳ／ＡＤＣ部１０６で所定のゲイン調整やノイズ除去処理がなされ、さらに、画像処理回路１１０にて色信号処理、γ変換処理や表示用のリサイズ処理等がなされ、画像処理回路１１０から出力された画像データが表示用画像データとして表示メモリ１１２に格納される（Ｓ２０６）。また、画像処理回路１１０から出力された表示用画像データは、ヒストグラム処理部１１８にも入力され、ヒストグラム処理部１１８では、表示用画像データの輝度データに基づいて輝度分布図が作成される（Ｓ２０８）。その輝度分布図は当該表示用画像データと共に表示部１１４に重ねて表示される（Ｓ２１０）。撮影者は表示部１１４に表示された表示用画像データと輝度分布図とを比べて、所望の露出が得られていれば操作部１２０に含まれる撮影指示を行なう。撮影指示の有無が判断され（Ｓ２１２）、撮影指示があれば撮影が行なわれる（Ｓ２１４）。撮影指示がなければステップＳ２０２に戻り、再度露光が行なわれ、一連の表示処理が繰り返される。
【００２１】
なお、ステップＳ２０２で露出時間設定部１０４に設定されている値は操作部１２０からの操作などにより再設定することができる。
次に、表示用画像データの所定領域の輝度分布である所定輝度分布の指定方法と、表示用画像データの全体の輝度分布である全体輝度分布に対する所定輝度分布の表示例とを表示部１１４に表示させた場合を幾つか例に挙げて以下に説明する。
【００２２】
図３は、表示部１１４の中心に表示されたターゲットマークで囲まれる表示用画像データの輝度分布を表示部１１４内に表示させた例である。図のように、被写体は人物Ａを中心に山Ｂ及び空Ｃ及び太陽Ｄで構成し、ＣＣＤ１０２から取り込まれた被写体画像が表示用画像データとして表示部１１４に表示されている。表示部１１４には、操作部１２０からの表示選択により、中心にターゲットマーク３００、その左隣に所定の大きさの輝度分布図３０２、上方に現在の露出条件の設定値３０４、すなわち左から露出モード（Ｐ、Ｐはプログラムモードを意味する）、絞り（Ｆ１．８）、シャッタースピード（１／２５０）、及び露出補正（＋０．０）、そして左下に現時点で撮影できる枚数（２５）が表示されている。この輝度分布図３０２内には、横軸に輝度値（例えば８ビットであれば、０から２５５レベルで示される）を示し縦軸に指定領域の画素の輝度値のカウント数で示した輝度分布が表示される。本例においては全体輝度分布３０６が図の斜線領域で表され、重複して、ターゲットマーク３００で囲まれた領域に基づく所定輝度分布３０８が塗りつぶされて表示されている。図の例では、所定輝度分布３０８が全体輝度分布３０６に対して左より、すなわち輝度値が低目、にでている。この表示用画像データの露出補正レベルを操作部１２０から１段上げると、表示部１１４の輝度分布図３０２は図４のようになる。すなわち、露出補正レベルを1段上げたことにより表示用画像データ全体の輝度が高くなり、所定輝度分布３０８も高目となり輝度値の中心に移動する。なお、表示部１１４の上方に表示されていた露出補正の設定値は＋１．０となる。以上より、輝度分布図として、全体輝度分布３０６と所定輝度分布３０８の両方が表示手段に表示されるので、両分布図の比較により的確な露出設定が可能になる。また、その表示態様を異ならせて重複するように表示されるので、少ないスペースで２つの分布図を表示させることが可能になる。
【００２３】
図５から図８は、図３で説明した所定輝度分布の指定領域をターゲットマークではなく測光領域にした場合の例である。図５は、表示用画像データの全体の輝度分布を評価して焦点距離及び明るさを加味して測光する平均測光の測光領域を指定領域とした場合の例である。上述のように測光領域は表示用画像データの全体であるため、輝度分布図３０２の所定輝度分布３０８には図のように全体輝度分布３０６の全範囲が表示されることとなる。なお、本例においては表示部１１４の右上に測光方法が平均測光であることを示すアイコンを表示することとした。また、以下の例においても同様であるが、測光領域の位置や大きさを変えることにより測光条件が変化し、シャッタースピードも変化するため、表示部１１４に表示されたシャッタースピードも図３における値から変化している。
【００２４】
図６は、測光領域を表示用画像データの中心から表示用画像データの１／４程度の広がりをもつ矩形で囲まれる領域とし、その測光領域を指定領域とした場合の例である。図に示すように、測光領域は点線で示され、輝度分布図３０２には斜線で示される全体輝度分布３０６に対して測光領域の所定輝度分布３０８が塗りつぶしされて表示されている。図３の場合に比べて所定輝度分布の対象領域が広がっているので、所定輝度分布の面積も図３に比べて大きくなっている。なお、本例においても表示部１１４の右上に測光方法が本測光方法、すなわち中央重点測光、であることを示すアイコンを表示することとした。
【００２５】
図７は、測光領域を表示用画像データの中心から表示用画像データの１／２５程度の広がりをもつ矩形で囲まれる領域とし、その測光領域を指定領域とした場合の例である。図に示すように、測光領域は点線で示され（以下の例においても、指定領域または指定可能な領域を点線で図中に示すものとする）、輝度分布図３０２には斜線で示される全体輝度分布３０６に対して測光領域の所定輝度分布３０８が塗りつぶしされて表示されている。なお、本例においても表示部１１４の右上に測光方法が本測光方法、すなわちスポット測光、であることを示すアイコン３１０を表示することとした。
【００２６】
図８は、移動可能な矩形のカーソルによって囲まれた測光領域を指定領域とした場合の例である。測光領域は図７と同じサイズである。図の（８−１）においては、表示用画像データの中心に測光用カーソルの中心が一致する場合の例であり、輝度分布図３０２には斜線で示される全体輝度分布３０６に対して矩形で囲まれた領域の所定輝度分布３０８が黒で塗り潰されて表示されている。この測光用カーソルは操作部１２０から例えば図の（８−２）に示すような十字キーボタンの操作をするなどして表示部１１４内を自由に移動させることが可能である。本例においては、図の（８−１）の状態から、図の（８−２）で示されたように、上ボタン３１２を押下した場合を示しており、この結果は図の（８−３）で示されるように測光用カーソルが上に移動する。この時、指定領域は測光カーソル内であるため測光カーソル内で指定された領域（本例においては空Ｃの一部）の輝度分布が輝度分布図３０２に高輝度側にシフトした状態で表示される。なお、本例においてもスポット測光であるため、表示部１１４の右上にスポット測光を示すアイコン３１０を表示させた。以上により、所定輝度分布が測光領域の輝度に対応するので、ＡＥとの対応がとれるようになる。
【００２７】
図９は、所定輝度分布の指定領域をオートフォーカス（ＡＦ）領域とした例である。図の例では、ＡＦ領域がすでに十字配列で５箇所設定されている例である。これらのＡＦ領域の中から所望のＡＦ領域を図８の（８−２）で示すような操作部１２０の十字キーボタンの押下により選択して、ＡＦする領域の所定輝度分布を表示部１１４に表示させる。図の例では、中央の右側のＡＦ領域が選択されており、このＡＦ領域の所定輝度分布が表示部１１４に上記要領で表示される。なお、本例では輝度分布図３０２をＡＦ領域と重ならないように表示部１１４の右下に表示させている。以上により、所定輝度分布が合焦範囲の輝度に対応するので、合焦対象に露出を設定することが容易に可能になる。
【００２８】
図１０は、所定輝度分布の指定領域を輝度分布測定専用の専用カーソルで囲む領域とした例である。図の例ではＡＦ領域の上方に矩形の専用カーソルが配置されており、輝度分布図３０２には専用カーソルで囲まれた領域が上記要領で表示されている。この専用カーソルは図８の（８−２）で示すような操作部１２０の十字キーボタンの操作により、特に図示はしていないが表示部１１４内を自由に移動でき、移動先の指定領域を輝度分布図３０２内に上記要領で表示させる。
【００２９】
図１１の（１１−１）は、画面を複数領域に分割し、各領域の輝度分布を輝度分布図３０２内に色分けして表示させる例を示したものである。本例においては、表示部１１４に破線で示すように画面を９分割（Ｅ１〜Ｅ９）し、分割された各所定領域の各所定輝度分布が輝度分布図３０２に色分けして表示される。図の（１１−２）は、この輝度分布図３０２の拡大図である。図の（１１−２）のＥ１〜Ｅ９で示された異なる色毎の領域が、図の（１１−１）のＥ１〜Ｅ９の各領域の輝度に対応した各輝度分布を示す。なお、輝度分布図３０２には、図の（１１−３）で示すように各所定領域毎の平均輝度値を全体輝度分布に対して色分けして表示させてもよい。また、本例において、分割された領域の全てを所定領域として輝度分布図３０２に表示させるのではなく、図の（８−２）で示すような操作部１２０からの十字キーボタンの操作により指定した分割領域を所定領域として、輝度分布図３０２内に上記要領で表示させてもよい。また、上記各所定輝度分布は色分けして表示させてもよい。以上により、上記所定輝度分布の表示によって、画面の全体の領域毎の輝度の一括した判断が可能になる。
【００３０】
図１２は、輝度分布図３０２の拡大表示方法を示す例である。上記説明した所定領域、特にスポット測光で指定される所定領域は、画素数が少ないため全体輝度分布に対して表示される領域が小さく視認性が悪い。そこで、本例においてはこの所定輝度分布を全体輝度分布に対して拡大表示させる例を示した。図に示すように、所定輝度分布３０８が小さい（１２−１）の輝度分布図３０２に対して、全体輝度分布３０６は変更せずに所定輝度分布３０８が拡大表示された新たな輝度分布図（１２−２）が示されている。この新たな輝度分布図は、当初からこの設定としておいてもよいし、操作部１２０からの選択切替ボタンなどにより（１２−１）と差し替えてもよいし、切替方法は様々である。
【００３１】
図１３は、輝度分布図３０２に表示される所定輝度分布の表示方法の一例である。所定領域の輝度分布が分散する場合に特に有効である。本例では、所定輝度分布の平均輝度を求め、その平均輝度値を図の（１３−１）に示すように輝度分布図３０２の近辺（図の例では輝度分布図３０２の直下）に例えば△などの指示マーク３１４を表示させる。また、その他の例としては、図（１３−２）に示すように、輝度分布図３０２内の平均輝度値の位置にカウント数方向全体にまたがるような垂直線３１６で表示させたり、図（１３−３）に示すように輝度分布図３０２内の平均輝度値の位置の上方に例えば▽などの他の指示マーク３１８を表示させるなど、指示の仕方は様々である。
【００３２】
なお、上記説明してきた輝度分布図の表示レイアウトについては、大きさや形や配置は適宜設定してよく、共に表示される表示用画像データが余り隠れない程度の大きさや形や配置であることが望ましい。
また、輝度分布図を半透明にして表示用画像データに重ねて表示させてもよいし、操作部１２０から指示される切替によって輝度分布図を表示させたり隠したりするなど、表示方法も適宜設定してよい。
【００３３】
また、全体輝度分布と所定輝度分布とは一見して見分けがつけばよいので、色分けする以外にも例えば模様で分けるなどの視覚的に認識できる方法であれば適宜設定してよい。
また、本実施の形態においては輝度分布図を輝度値とカウント数とで構成したヒストグラム表示を例にあげたが、その他にも、シチュエーションに応じて例えば円グラフなどのグラフ表示であってもよい。
【００３４】
また、所定領域を指定する各種カーソルは矩形でなくてもよく、適宜設定できる。
また、輝度分布図と表示用画像データとが独立して表示されるような構成としてもよいし、輝度分布図のみ表示させる専用の表示部を別に設けてもよい。
【００３５】
また、本実施の形態においては、撮影待機状態時に取得される表示用画像データについての各種輝度分布を表示させる例を示しているが、例えば、図示されていない記録部から記録された撮影画像データを表示部１１４に読み出して、その読み出した撮影画像データに対して上記各種の輝度分布を表示せるなど、その他の場面での適用も可能である。
【００３６】
また、本実施の形態においては、上記各種の輝度分布図表示をデジタルカメラに対して適用しているが、例えば、ビデオカメラにおける静止画や動画の撮影待機時や撮影画像データの表示部への読み出し時などにも適用できる。
このように構成されたデジタルカメラにおいては、撮像された被写体画像の全体と被写体画像の所定領域との輝度分布の関係が明確となるため、例えば、撮影時の全体輝度分布の輝度値が偏っている場合において、撮影者に安易にその偏りがなくなるように露出条件を調整させるのではなく、狙った領域の輝度値が適正かどうかの判断も考慮させて露出条件を調整させるなど、被写体画像の全体と所定領域とのバランスを考慮に入れて露出条件を設定させるための目安とさせることが可能となる。
【００３７】
また、上記所定領域の指定を測光領域とすることにより、測光領域の輝度分布が明確になる。
また、上記所定領域の指定を合焦領域とすることにより、合焦領域の輝度分布が明確になり、合焦領域を移動することにより、被写体画像内で移動できる領域であれば何れの領域でも輝度分布を確認できるようになる。
【００３８】
また、上記所定領域の指定を専用のカーソルで行なえるようにすることにより、専用カーソル内の輝度分布が明確になり、専用カーソルを移動することにより、被写体画像内で移動できる領域であれば何れの領域でも輝度分布を確認できるようになる。
【００３９】
また、被写体画像の複数の所定領域の輝度分布を同時に表示させることにより、相互の指定領域の輝度分布の関係が明確になる。
また、指定領域の輝度分布を拡大表示させることで、領域の狭い指定領域は特に輝度分布が明確となる。
【００４０】
また、指定領域の輝度分布の平均を示す指示マークを輝度分布図に付加することにより、指定領域の分散された輝度分布と全体輝度分布との対応関係がより明確になる。
これまで説明してきたように、本発明は、ＣＰＵが上記処理の内容に関する制御プログラムデータをメモリから読み込み実行することで実現される。従って、この制御プログラムや、この制御プログラムを記憶した記憶媒体或いはプログラム製品も、本発明に含まれる。また、当該制御プログラムデータはデジタルカメラ内蔵メモリに予め記録させておく代わりに、スマートメディア（登録商標）などの携帯型メモリカードからデジタルカメラの不揮発性内蔵メモリに記憶されるようにしたり、ネットワーク通信を介してデジタルカメラの不揮発性内蔵メモリに記憶されるようにしたりして、本発明と同等なデジタルカメラを構成させるようにしてもよい。
【００４１】
【発明の効果】
以上述べたように、本発明によれば、被写体画像全体と被写体画像の所定範囲との輝度分布の関係を明確にし、露出条件の調整の援助をより確実に行なうことができるようになり、所望の露出条件を設定できるようになる。
【図面の簡単な説明】
【図１】デジタルカメラのブロック構成の一例である。
【図２】デジタルカメラの撮影待機状態時における動作フローの一例である。
【図３】ターゲットマークで囲まれる輝度分布を表示部１１４内に表示させた例である。
【図４】図３に示す状態から露出補正レベルを１段上げた例である。
【図５】平均測光の測光領域を指定領域とした場合の例である。
【図６】中央重点測光の測光領域を指定領域とした場合の例である。
【図７】スポット測光の測光領域を指定領域とした場合の例である。
【図８】移動可能な測光領域を指定領域とした場合の例である。
【図９】ＡＦ領域を指定領域をとした場合の例である。
【図１０】専用カーソルで囲む領域を指定領域とした場合の例である。
【図１１】複数の指定領域を色分けして表示させた場合の例である。
【図１２】所定輝度分布の拡大表示例である。
【図１３】所定輝度分布の平均輝度の指示マークを表示させた場合の例である。
【符号の説明】
１００  Ｌｅｎｓ
１０２  ＣＣＤ
１０４  露光時間設定部
１０６  ＣＤＳ／ＡＤＣ部
１０８  ＡＥ／ＡＦ部
１１０  画像処理回路
１１２  表示メモリ
１１４  表示部
１１６  ＣＰＵ
１１８  ヒストグラム処理部
１２０  操作部
【図１】
0004121771.tif 000002
【図２】
0004121771.tif 000003
【図３】
0004121771.tif 000004
【図４】
0004121771.tif 000005
【図５】
0004121771.tif 000006
【図６】
0004121771.tif 000007
【図７】
0004121771.tif 000008
【図８】
0004121771.tif 000009
【図９】
0004121771.tif 000010
【図１０】
0004121771.tif 000011
【図１１】
0004121771.tif 000012
【図１２】
0004121771.tif 000013
【図１３】
0004121771.tif 000014